(57)【特許請求の範囲】
【請求項１】
着色顔料（ただし、カーボンブラックを除く。）と、バインダー樹脂と、マシン油と、を含む浸透乾燥型オフセット印刷用インキ組成物であって、
前記マシン油の４０℃における動粘度が８．６ｍｍ２／ｓ以上１６５０ｍｍ２／ｓ以下であり、その含有量が組成物全体に対して１〜３０質量％であり、さらに大豆油及び大豆油脂肪酸エステルからなる群より選択される少なくとも一つの植物油成分を組成物全体に対して２０〜６０質量％含むことを特徴とする浸透乾燥型オフセット印刷用インキ組成物。
【請求項２】
前記マシン油の４０℃における動粘度が８．６ｍｍ２／ｓ以上１０００ｍｍ２／ｓ以下である請求項１記載の浸透乾燥型オフセット印刷用インキ組成物。
【請求項３】
前記マシン油の４０℃における動粘度をＸｍｍ２／ｓとし、前記マシン油の組成物全体に対する含有量をＹ質量％としたときに、Ｘ及びＹが下記式１又は式２を満足させることを特徴とする請求項１記載の浸透乾燥型オフセット印刷用インキ組成物。
（式１）  ８．６≦Ｘ＜５００  かつ  −０．０００００１４１Ｘ＋８．０６≦Ｙ≦３０
（式２）  ５００≦Ｘ≦１６５０  かつ  １≦Ｙ≦３０
【発明の詳細な説明】
【技術分野】
【０００１】
本発明は、浸透乾燥型オフセット印刷用インキ組成物に関し、より詳しくは、オフセット輪転印刷機を用いた、新聞のカラー面の印刷において好適に使用され、長時間印刷を継続する場合であっても良好な印刷適性を維持することのできる浸透乾燥型オフセット印刷用インキ組成物に関する。
【背景技術】
【０００２】
オフセット印刷は、油性であるオフセット印刷用インキ組成物（以下、単に「インキ組成物」とも呼ぶ。）が水に反発する性質を利用した印刷方式であり、凹凸を備える印刷版を用いる凸版印刷方式とは異なり、凹凸のない印刷版を用いることを特徴とした印刷方式である。この印刷版は、凹凸の代わりに親油性の画像部と親水性の非画像部とを備え、印刷に際して、まず、印刷版に供給された湿し水によって非画像部が湿潤される。すると、油性であるインキ組成物が印刷版に供給された際に、当該インキ組成物は、湿し水で湿潤されて水分を帯びた非画像部には反発して付着せず、親油性の画像部のみに付着する。こうして、印刷版の表面にインキ組成物による画像が形成され、そのインキ組成物による画像がブランケット及び紙に順次転移することにより印刷が行われる。
【０００３】
上記オフセット印刷方式は、印刷版の作製が比較的簡単でありながら、高い美粧性を備えた印刷物を得たり、大量の印刷物を短時間で得たりする分野に適するという特性を備える。そこで、オフセット印刷方式は、パンフレット、ポスター、カレンダー等といった高い美粧性が要求される分野から、新聞、雑誌、電話帳等といった高速かつ大量に印刷されることが要求される分野まで広く利用されている。
【０００４】
ここで、オフセット印刷方式が用いられる新聞印刷では、近年、商業広告欄や写真記事等に代表されるカラー印刷の比率が増加するとともに、高速印刷性を備えた新型のオフセット輪転印刷機の採用に伴って印刷速度が高速化している。これに対応して、様々な印刷適性を備えたインキ組成物が各種提案されている（例えば、特許文献１等を参照）。
【先行技術文献】
【特許文献】
【０００５】
【特許文献１】特開２００７−１５４１８２号公報
【発明の概要】
【発明が解決しようとする課題】
【０００６】
ところで、新聞におけるカラー印刷では、全ての印刷面が同じような大きさのカラー図柄を備えるわけではなく、全面広告に代表されるように大きなカラー図柄が入る印刷面もあれば、記事面に設けられた天気図に代表されるように小さなカラー図柄しか入らない印刷面もある。このような小さなカラー図柄しか入らない印刷面では、一つの印刷面の中で、例えば天気図等が存在して色インキ組成物が消費される箇所と、ニュース記事（主として白黒である。）しか存在せず色インキ組成物が消費されない箇所とが存在する。すると、色インキ組成物が消費されない箇所では、消費されなかった色インキ組成物がインキ供給用のローラーに滞留し、時には印刷版に湿し水を供給するダンプニングローラーにも滞留する。
【０００７】
ローラーに滞留したインキ組成物は、湿し水と接した状態で長時間、ローラーによって練られ続ける。すると、時間の経過とともに、滞留したインキは、その粘度を増していき、やがてローラー上に固着するようになる。この状態で例えば印刷版の差し替え等により印刷機を停止させると、印刷機を再稼働させたときに固着したインキ組成物が印刷版に付着したり、印刷版を介してブランケットに付着したりすることがある。こうして付着したインキ組成物は極めて粘度が高いので、これが印刷版の非画像部に付着した場合には、湿し水によって印刷版からなかなか除去されずに印刷紙面の汚れを引き起こす場合があり、また、ブランケットに付着した場合には、印刷用紙が毟られて切断される等のトラブルを引き起こす場合がある。
【０００８】
このようにインキ組成物がその粘度を増加させて固着する現象は、「ねっぱり」と呼ばれ、インキ組成物が湿し水の存在下でローラーによって長時間練られた場合に顕著に観察される。こうした「ねっぱり」現象に対するインキ組成物における対応は、未だ十分でないのが現状である。また、このような現象は、新聞印刷の際に使用される浸透乾燥型のオフセット印刷用インキ組成物にて特に顕著に観察される。
【０００９】
本発明は、以上の状況に鑑みてなされたものであり、オフセット印刷において長時間印刷を継続させた場合であっても、良好な印刷適性を保持することのできる浸透乾燥型オフセット印刷用インキ組成物を提供することを目的とする。
【課題を解決するための手段】
【００１０】
本発明者らは、上記課題を解決するために鋭意検討を重ねた結果、特定の動粘度を有するマシン油をインキ組成物に添加することによって上記課題が解決されることを見出し、本発明を完成するに至った。具体的には、本発明は以下のものを提供する。
【００１１】
本発明は、着色顔料（ただし、カーボンブラックを除く。）と、バインダー樹脂と、マシン油と、を含む浸透乾燥型オフセット印刷用インキ組成物であって、上記マシン油の４０℃における動粘度が８．６ｍｍ２／ｓ以上１６５０ｍｍ２／ｓ以下であり、その含有量が組成物全体に対して１〜３０質量％であり、さらに大豆油及び大豆油脂肪酸エステルからなる群より選択される少なくとも一つの植物油成分を組成物全体に対して２０〜６０質量％含むことを特徴とする浸透乾燥型オフセット印刷用インキ組成物である。
【００１２】
上記マシン油の４０℃における動粘度は、８．６ｍｍ２／ｓ以上１０００ｍｍ２／ｓ以下であることが好ましい。
【００１３】
上記マシン油の４０℃における動粘度をＸｍｍ２／ｓとし、前記マシン油の組成物全体に対する含有量をＹ質量％としたときに、Ｘ及びＹは下記式１又は式２を満足させることが好ましい。
（式１）  ８．６≦Ｘ＜５００  かつ  −０．０００００１４１Ｘ＋８．０６≦Ｙ≦３０
（式２）  ５００≦Ｘ≦１６５０  かつ  １≦Ｙ≦３０
【発明の効果】
【００１４】
本発明によれば、オフセット印刷において長時間印刷を継続させた場合であっても、良好な印刷適性を保持することのできる浸透乾燥型オフセット印刷用インキ組成物が提供される。
【発明を実施するための形態】
【００１５】
以下、本発明の浸透乾燥型オフセット印刷用インキ組成物（既に述べたように、単に「インキ組成物」と省略することもある。）について一実施形態を示して詳細に説明するが、本発明は以下の実施形態に何ら限定されるものではない。
【００１６】
本発明のインキ組成物は、着色顔料（ただし、カーボンブラックを除く。）と、バインダー樹脂と、マシン油と、を含む。以下、各成分について説明する。
【００１７】
［着色顔料］
着色顔料としては、例えば、従来からこのタイプのインキ組成物に使用されている有機及び／又は無機顔料が挙げられる。ただし、上記の通り、本発明における着色顔料には、墨色のインキ組成物で一般に使用されるカーボンブラックが含まれない。しかし、これはインキ組成物にカーボンブラックを添加する態様を本発明の範囲から除外する意図ではなく、着色顔料（ただし、カーボンブラックを除く。）に加えてカーボンブラックを添加してもよい。
【００１８】
このような着色顔料としては、ジスアゾイエロー（ピグメントイエロー１２、ピグメントイエロー１３、ピグメントイエロー１７、ピグメントイエロー１）、ハンザイエロー等のイエロー顔料、ブリリアントカーミン６Ｂ、レーキレッドＣ、ウオッチングレッド等のマゼンタ顔料、フタロシアニンブルー、フタロシアニングリーン、アルカリブルー等のシアン顔料等が例示される。
【００１９】
着色顔料の添加量としては、インキ組成物全体に対して８〜３０質量％程度が例示されるが、特に限定されない。
【００２０】
なお、イエロー顔料を使用してイエローインキ組成物を、マゼンタ顔料を使用してマゼンタインキ組成物を、シアン顔料を使用してシアンインキ組成物をそれぞれ調製する場合は、補色として、他の色の顔料を併用したり、他の色のインキ組成物を添加したりすることも可能である。
【００２１】
また、必要に応じ、上記着色顔料に加えて、クレー、タルク、カオリナイト（カオリン）、硫酸バリウム、炭酸カルシウム、酸化ケイ素、ベントナイト、酸化チタン等の無色顔料を用いてもよい。これらの無色顔料は、体質顔料とも呼ばれ、インキ組成物における粘度等といった特性を調節するために好ましく使用される。無色顔料の添加量としては、インキ組成物全体に対して０〜３３質量％程度が例示されるが、特に限定されない。
【００２２】
［バインダー樹脂］
バインダー樹脂は、インキ組成物が浸透乾燥した際のセット（印刷されたインキ組成物に指蝕しても、指にインキ組成物が付着しなくなる状態をいう。）を得るために用いられ、また、上記着色顔料を分散させるために用いられる成分である。バインダー樹脂としては、オフセット印刷用インキ組成物の分野で通常使用されるものを特に制限なく使用することができ、ロジン変性フェノール樹脂、ロジン変性マレイン酸樹脂、ロジン変性アルキド樹脂、ロジン変性石油樹脂、ロジンエステル樹脂、石油樹脂変性フェノール樹脂、アクリル変性フェノール樹脂、アルキド樹脂、植物油変性アルキド樹脂、石油樹脂等が例示される。これらの樹脂の重量平均分子量としては、３０００〜３０万程度を好ましく挙げることができる。
【００２３】
これらのバインダー樹脂の中でも、顔料分散性、印刷品質及び長時間にわたる安定な印刷適性といった観点からは、重量平均分子量が１万〜１５万であるロジン変性フェノール樹脂及びロジン変性マレイン酸樹脂よりなる群から選択される少なくとも１種と、アルキド樹脂とを併用することが好ましい。この場合、ロジン変性フェノール樹脂及びロジン変性マレイン酸樹脂の合計１００質量部に対して、アルキド樹脂を３〜１０質量部程度用いるのが好ましい。
【００２４】
バインダー樹脂の添加量としては、インキ組成物全体に対して、１０〜３５％程度を好ましく例示できる。
【００２５】
［マシン油］
次に、マシン油について説明する。本発明で使用されるマシン油は、動粘度の分類に基づく狭義のマシン油ではなく、潤滑油として使用される程度の動粘度を備えた油一般である広義のマシン油を意味する。このようなマシン油としては、従来、スピンドル油、（狭義の）マシン油、ダイナモ油、シリンダー油等として分類されてきた各種の潤滑油（又は切削油）が挙げられる。これらのマシン油は、４０℃における動粘度に基づいてＪＩＳ  Ｋ２２３８−１９９３やＩＳＯにて規格化されており、粘度の低い方から順に、ＩＳＯ  ＶＧ２／３／５／７／１０／１５／２２／３２／４６／６８／１００／１５０／２２０／３２０／４６０／６８０／１０００／１５００の１８種類に分類されている。これらのマシン油の中で、本発明では、４０℃の動粘度が４ｍｍ２／ｓ以上１６５０ｍｍ２／ｓ以下のものが使用される。この動粘度範囲となるマシン油は、上記分類によれば、概ねＩＳＯ  ＶＧ５からＩＳＯ  ＶＧ１５００までのグレードに相当する。より好ましくは、４０℃における動粘度が４ｍｍ２／ｓ以上１０００ｍｍ２／ｓであるマシン油を挙げることができる。次に、本発明のインキ組成物において、このようなマシン油が使用される理由について説明する。
【００２６】
本発明のインキ組成物が使用されるオフセット印刷方式では、インキ呼出しローラー、インキ練りローラー、インキ着けローラー等を介して、インキが薄膜に伸ばされた状態で印刷版に供給される。また、ダンプニングローラーや噴霧式のダンプナーによって湿し水が印刷版に供給される。
【００２７】
新聞印刷は、このようなオフセット印刷方式で行われ、近年ではカラーで印刷される面も増加している。新聞におけるカラー印刷では、全ての印刷面が同じような大きさのカラー図柄を備えるわけではなく、全面広告に代表されるように大きなカラー図柄が入る印刷面もあれば、記事面に設けられた天気図に代表されるように小さなカラー図柄しか入らない印刷面もある。全面広告のような大きな図柄が入る印刷面では、色インキ組成物の消費量が多く、常に新しいインキ組成物が版面に供給されて消費されることになるので、供給されたインキ組成物はローラー上に長時間滞留しない。それに対して、記事面に設けられた天気図のような小さなカラー図柄の場合、一つの印刷面の中で、例えば天気図等が存在して色インキ組成物が消費される箇所と、ニュース記事（主として白黒である。）しか存在せず色インキ組成物が消費されない箇所とが存在する。すると、消費されなかった色インキ組成物は、インキ供給用のローラーに滞留し、時には湿し水を印刷版に供給するダンプニングローラーにも滞留する。
【００２８】
こうしてローラーに滞留したインキ組成物は、既に述べたように、湿し水と接触した状態でローラーによって長時間練られることとなり、その結果として、インキ組成物の粘度が極端に増加する「ねっぱり」現象を発生させる。「ねっぱり」現象によって引き起こされる問題については、既に述べた通りである。
【００２９】
このような「ねっぱり」現象が生じる理由は二つ考えられる。一つ目は、ローラー上で練られるインキ組成物が薄膜になっているため、インキ組成物の粘度調節のために使用されている後述の鉱物油が揮発するためと考えられる。二つ目は、湿し水の存在である。これは、湿し水と常に接触しているインキ着けローラーやダンプニングローラーで「ねっぱり」現象が発生しやすいことからの推測だが、インキ組成物が湿し水と接触しながらローラー上で長時間練られることにより、インキ組成物に含まれる後述の植物油成分が、湿し水に含まれる種々の界面活性剤の影響によってインキ組成物中から湿し水中に流出するためと考えられる。植物油成分は、バインダー成分の溶解性付与にも深く関わっていることから、こうした成分がインキ組成物中から失われれば、インキ組成物の粘度が著しく増大すると考えられる。
【００３０】
これに対して、マシン油は、沸点が非常に高いので上記オイル成分のようにローラー上で揮発することはなく、また、極性が低いので上記植物油成分のように湿し水に含まれる種々の界面活性剤の影響を受けにくい。したがって、インキ組成物に添加されたマシン油は、インキ組成物がローラー上で長時間にわたって薄膜の状態となっても揮発せず（上記「一つ目の理由」を参照）、また、湿し水中に流出することがない（上記「二つ目の理由」を参照）と考えられる。さらに、インキ組成物に含まれる鉱物油や植物油成分が失われたとしても、マシン油が潤滑剤として作用することにより、インキ組成物の粘度の著しい増大が抑制されると考えられる。本発明に係るインキ組成物は、以上の知見により完成されたものであり、マシン油成分を含有する。
【００３１】
なお、本発明で使用されるマシン油は、上記の動粘度範囲に属するものであれば特に限定されないが、米国におけるＯＳＨＡ基準やＥＵ基準に適応させるとの観点からは、縮合多環芳香族成分が抑制されたものであることが好ましい。このようなマシン油としては、ＪＸ日鉱日石エネルギー株式会社製のインクオイルＨ８（４０℃における動粘度８．６ｍｍ２／ｓ）、同インクオイルＨ３５（同３７ｍｍ２／ｓ）、三共油化工業株式会社製のＳＮＨ８（同８．８ｍｍ２／ｓ）、同ＳＮＨ４６（同４５．９ｍｍ２／ｓ）、同ＳＮＨ２２０（同２３１ｍｍ２／ｓ）、同ＳＮＨ５４０（同５４６ｍｍ２／ｓ）が例示される。
【００３２】
インキ組成物におけるマシン油の含有量は、インキ組成物全体に対して１〜３０質量％である。インキ組成物におけるマシン油の含有量がインキ組成物全体に対して１質量％以上であれば、「ねっぱり」現象に対する十分な抑制効果をインキ組成物に付与することができる。また、インキ組成物におけるマシン油の含有量がインキ組成物全体に対して３０質量％以下であれば、財団法人日本エコマーク事務局が認定する、印刷インキ組成物におけるエコマーク基準（類型名：印刷インキＶｅｒｓｉｏｎ２．０、基準：印刷インキ組成物中の石油系溶剤が３０質量％以下）に適合させることができる。
【００３３】
より好ましくは、マシン油の４０℃における動粘度をＸｍｍ２／ｓとし、前記マシン油の組成物全体に対する含有量をＹ質量％としたときに、Ｘ及びＹが下記式１又は式２を満足させるようなマシン油の動粘度及び含有量であることを挙げられる。式１は、マシン油の４０℃における動粘度が５００ｍｍ２／ｓ未満の場合には、「ねっぱり」現象の抑制という観点において、インキ組成物中におけるマシン油の含有量の好ましい下限値が一次関数で表されるとの知見に基づくものである。式１におけるＹ（含有量）の上限値は、上記の通り、エコマーク基準に基づくものである。また、式２は、マシン油の４０℃における動粘度が一定水準以上ならば、上記の通り、マシン油の含有量がインキ組成物全体に対して１〜３０質量％であれば十分に好ましい結果が得られることを示している。
（式１）  ４≦Ｘ＜５００  かつ  −０．０００００１４１Ｘ＋８．０６≦Ｙ≦３０
（式２）  ５００≦Ｘ≦１６５０  かつ  １≦Ｙ≦３０
【００３４】
［その他の成分］
本発明の印刷インキ組成物には、印刷性能を向上させる等の観点から、必要に応じて上記の各成分の他に各種成分を添加することができる。このような各種成分としては、植物油成分、鉱物油、界面活性剤、リン酸塩等の塩類、ポリエチレン系ワックス・オレフィン系ワックス・フィッシャートロプシュワックス等のワックス類、アルコール類、酸化防止剤等が例示される。さらに、キレート化合物や金属石けん類等を使用して上記バインダー樹脂の全部又は一部をゲル化させてもよい。
【００３５】
上記各種成分のうち、植物油成分としては、植物油及び／又は植物油由来の脂肪酸エステル化合物が例示される。植物油としては、大豆油、綿実油、アマニ油、サフラワー油、桐油、トール油、脱水ヒマシ油、カノーラ油等の乾性油や半乾性油等が例示される。また、植物油由来の脂肪酸エステル化合物としては、上記植物油に由来する脂肪酸のモノアルキルエステル化合物等が例示される。
【００３６】
上記脂肪酸モノアルキルエステル化合物を構成する脂肪酸としては、炭素数１６〜２０の飽和又は不飽和脂肪酸が好ましく例示され、このような飽和又は不飽和脂肪酸としては、ステアリン酸、イソステアリン酸、ヒドロキシステアリン酸、オレイン酸、リノール酸、リノレン酸、エレオステアリン酸等が好ましく例示される。脂肪酸モノアルキルエステル化合物を構成するアルキル基としては、炭素数１〜１０のアルキル基が好ましく例示され、より具体的には、メチル基、エチル基、プロピル基、イソプロピル基、ブチル基、イソブチル基、ｔｅｒｔ−ブチル基、２−エチルヘキシル基等が好ましく例示される。
【００３７】
これらの植物油成分は、単独で又は二種以上を組み合わせて使用することができる。より好ましくは、植物油成分としては大豆油、大豆油脂肪酸エステル化合物等が挙げられる。インキ組成物における植物油成分の含有量としては、インキ組成物全体に対して２０〜６０質量％が好ましく例示される。
【００３８】
鉱物油は、インキ組成物における溶剤成分として使用され、インキ組成物の粘度を調整したり、各種成分を溶解させたりするのに用いられる。このような鉱物油としては、水と相溶せず、沸点１６０℃以上、好ましくは沸点２００℃以上の非芳香族系石油溶剤が例示される。このような非芳香族系石油溶剤としては、新日本石油株式会社製の０号ソルベント、同ＡＦソルベント５号、同ＡＦソルベント６号、同ＡＦソルベント７号等が例示される。インキ組成物における鉱物油の含有量としては、インキ組成物全体に対して０〜３０質量％を好ましく例示できる。なお、既に説明したマシン油も鉱物油の一種ではあるが、本発明では、鉱物油とは、上記のようにインキ組成物において溶剤成分として使用される粘度の低い液体成分を意味し、所定の動粘度を備えた潤滑油状物であるマシン油と区別される。
【００３９】
上記の各成分を用いて本発明のインキ組成物を製造するには、従来公知の方法が使用できる。このような方法としては、着色顔料、バインダー樹脂、マシン油、鉱物油、植物油成分、必要に応じて体質顔料等の各成分をビーズミルや三本ロールミル等で練肉し、着色顔料や体質顔料を分散させた後、必要に応じて鉱物油や添加剤（酸化防止剤、アルコール類、ワックス類等）等を加え、さらに粘度調整することが例示される。インキ組成物における粘度としては、ラレー粘度計による２５℃での値が３．０〜２０Ｐａ・ｓであることを例示できるが、特に限定されない。
【実施例】
【００４０】
以下に実施例を挙げて本発明のインキ組成物をさらに詳細に説明するが、本発明はこれらの実施例に何ら限定されるものではない。なお、以下の記載では、特に断りのない限り、「％」は「質量％」を意味し、「部」は「質量部」を意味する。
【００４１】
＜インキ組成物用ワニスの調製＞
コンデンサー、温度計及び撹拌機を装着した４つ口フラスコに、重量平均分子量１０万のロジン変性フェノール樹脂（荒川化学工業株式会社製、ＫＧ−２２１２）、大豆油及び鉱物油（石油系溶剤；新日本石油株式会社製、ＡＦソルベント７号）を下記配合比率Ａとなるように仕込んだ後２００℃に昇温し、同温度を１時間維持することにより樹脂を溶解させた後、エチルアセテートアルミニウムジイソプロポキシド（株式会社川研ファインケミカル製、ＡＬＣＨ）を０．５部仕込み、その後１７０℃で６０分間加熱保持して、ワニス１を得た。
【００４２】
（配合比率Ａ）
ロジン変性フェノール樹脂：３５部、大豆油：２０部、鉱物油：４４．５部
【００４３】
コンデンサー、温度計及び撹拌機を装着した４つ口フラスコに、重量平均分子量１０万のロジン変性マレイン酸樹脂、大豆油及び鉱物油（石油系溶剤；新日本石油株式会社製、ＡＦソルベント７号）を下記配合比率Ｂとなるように仕込んだ後２００℃に昇温し、同温度を１時間維持することにより樹脂を溶解させた後、エチルアセテートアルミニウムジイソプロポキシド（株式会社川研ファインケミカル製、ＡＬＣＨ）を０．５部仕込み、その後１７０℃で６０分間加熱保持して、ワニス２を得た。
【００４４】
（配合比率Ｂ）
ロジン変性マレイン酸樹脂：３５部、大豆油：２０部、鉱物油：４４．５部
【００４５】
コンデンサー、温度計及び撹拌機を装着した４つ口フラスコに、重量平均分子量１５００の石油樹脂（ＪＸ日鉱日石エネルギー株式会社製、日石ネオポリマー１２０）及び鉱物油（石油系溶剤；新日本石油株式会社製、ＡＦソルベント６号）を下記配合比率Ｃとなるように仕込んだ後１３０℃に昇温し、同温度を１時間維持することにより樹脂を溶解させてワニス３を得た。
【００４６】
（配合比率Ｃ）
石油樹脂：５５部、鉱物油：４５部
【００４７】
＜イエローベースインキの調製＞
フラッシャー（顔料プレスケーキよりフラッシュドインキベースを調製する際に使用される公知の装置であり、顔料プレスケーキ及びワニスを混練するためのニーダーを備える。）内に、上記ワニス１を４５部と、ピグメントイエロー１２の顔料プレスケーキ（顔料純分２０％）を顔料乾燥固形分として２０部と、を加え、温度５０℃にて混練することで顔料プレスケーキに含まれている水分をフラッシャー内の固形物から分離させ（フラッシング）、これをデカンテーションにより排水した。その後、フラッシャー内に存在する固形物を減圧下で７５℃に加熱することで当該固形物から水分を除去し、これに上記ワニス１を２０部と大豆油を１５部とを加えて混合することでイエローベースインキ（以下、「Ｙベース」とも呼ぶ。）を得た。
【００４８】
＜マゼンタベースインキの調製＞
フラッシャー内に、上記ワニス２を３５部と、ブリリアントカーミン６Ｂの顔料プレスケーキ（顔料純分２５％）を顔料乾燥固形分として３０部と、を加え、温度５０℃にて混練することで顔料プレスケーキに含まれている水分をフラッシャー内の固形分から分離させ（フラッシング）、これをデカンテーションにより排水した。その後、フラッシャー内に存在する固形物を減圧下で１１０℃に加熱することで当該固形物から水分を除去し、これに上記ワニス２を２０部と大豆油を１５部とを加えて混合することでマゼンタベースインキ（以下、「Ｍベース」とも呼ぶ。）を得た。
【００４９】
＜シアンベースインキの調製＞
シアニンブルー顔料３０部、上記ワニス１を５０部、上記ワニス２を１０部及び大豆油１０部を混合した後、これを３本ロールミルにより練肉し、シアンベースインキ（以下、「Ｃベース」とも呼ぶ。）を得た。
【００５０】
＜体質ベースインキの調製＞
炭酸カルシウム５０部、上記ワニス１を４０部及び大豆油１０部を混合した後、これを３本ロールミルにより練肉し、体質ベースインキ（以下、「体質ベース」とも呼ぶ。）を得た。
【００５１】
＜浸透乾燥型オフセット印刷用インキ組成物（インキ組成物）の調製＞
上記各色ベースインキ、体質ベース、マシン油及び大豆油を表１〜３に示す配合割合で混合して、各色のインキ組成物を得た。なお、表１〜３における各成分の配合割合は、質量％である。また、表１〜３において、マシン油ＡとしてはインクオイルＨ８（ＪＸ日鉱日石エネルギー株式会社製）を使用し、マシン油ＢとしてはＳＮＨ５４０（三共油化工業株式会社製）を使用した。
【００５２】
【表１】
0005904534.tif 000002
【００５３】
【表２】
0005904534.tif 000003
【００５４】
【表３】
0005904534.tif 000004
【００５５】
＜印刷評価＞
実施例１〜１２及び比較例１〜９のインキ組成物のそれぞれについて、Ｎ―７５０型印刷実験機（東浜精機株式会社製）を使用して、印刷速度１２万部／時で用紙を新聞用更紙として下記のベタ紙面濃度にて印刷試験を行った。各インキ組成物について２万部の印刷を行い、それぞれの印刷の終了後における水着けローラー（印刷版に湿し水を供給するローラー）上のインキ組成物の「ねっぱり」状態を指触で評価した。その評価結果を表４に示す。印刷試験における湿し水としては水道水にＳＡＨ−７（サカタインクス株式会社製、アルカリＨ液）を０．７％加えたものを使用し、湿し水の供給にはスプレーダンプナーＳＳＤ−１２（サカタインクス株式会社製）を使用した。印刷に際しては、水幅の下限付近での印刷状態の比較を行うために、水幅の下限値よりもＳＳＤ−１２のダイヤルを２ポイント上げた状態とした。各色のベタ紙面濃度は、イエロー０．９０±０．０２、マゼンタ０．９５±０．０２、シアン０．９５±０．０２とした。なお、ベタ紙面濃度は、印刷物におけるベタ部の濃度をＳｐｅｃｔｒｏｅｙｅ濃度計（Ｇｒｅｔａｇｍａｃｂｅｔｈ社製）により測定した数値である。
【００５６】
表４における各評価基準は、それぞれ下記の通りである。なお、下記において、ローラー上のインキ組成物が指に付着することは、ローラー上でインキの固着（ねっぱり）が生じていないことを意味しており、ローラー上のインキ組成物が指に付着しないことは、ローラー上でインキの固着（ねっぱり）が生じていることを意味している。
◎：ローラー上のインキ組成物が指に付着し、その粘度も元のインキ組成物と同様だった 
○：ローラー上のインキ組成物が指に付着したが、その粘度は元のインキ組成物よりもわずかに増加していた
×：ローラー上のインキ組成物が指に付着しない
【００５７】
【表４】
0005904534.tif 000005
【００５８】
上記実施例及び比較例の対比から、本発明の浸透乾燥型オフセット印刷用インキ組成物によれば、長時間にわたって湿し水とインキ組成物とがローラー上で練られた場合であっても、インキの粘度が著しく増加する「ねっぱり」現象を抑制できることが理解される。したがって、本発明のインキ組成物によれば、長時間にわたって印刷される新聞印刷においても、インキ組成物の「ねっぱり」の発生を抑制しながら安定に印刷を継続させることが可能である。
【００５９】
また、実施例５にてマシンオイルとして使用したインクオイルＨ８の４０℃における動粘度（ｍｍ２／ｓ）及びその配合量と、実施例４にてマシンオイルとして使用したＳＮＨ５４０の４０℃における動粘度（ｍｍ２／ｓ）及びその配合量とを、縦軸（Ｙ）を配合量とし横軸（Ｘ）を４０℃における動粘度（ｍｍ２／ｓ）としたグラフにプロットし、これらを通過する直線の一次式を求めた。その結果、Ｙ＝−０．０００００１４１Ｘ＋８．０６との一次式が得られた。マシンオイルの添加量が多ければ多いほど、「ねっぱり」現象の抑制効果が大きくなると考えられ、また、マシンオイルの動粘度が大きければ大きいほど「ねっぱり」現象の抑制効果が大きくなると考えられることから、上記の一次式は、少なくとも、その一次式から得られる直線よりも上側部分（すなわちＹ≧−０．０００００１４１Ｘ＋８．０６）であれば、十分に「ねっぱり」現象が抑制されて好ましいことを意味していると考えられる。もっとも、上記の一次式から得られる直線よりも下側だったとしても、本発明で規定するマシン油が１質量％以上インキ組成物に添加されてさえいれば、「ねっぱり」現象が抑制されることに変わりはない。